(57)【要約】【課題】電子機器を使用するユーザーが交換ユニット単位の交換時期（寿命）を容易に把握できるようにする。【解決手段】メディア処理装置１（電子機器）に接続されたホストコンピューター１００によって、メディア処理装置１に記憶されたメンテナンスカウンタ情報を取得するステップ（Ｓ４）と、取得したメンテナンスカウンタ情報に基づいて、Ａ＝前記メディアドライブ４１（５１）のメディアトレイ開閉の累積回数／メディアトレイ開閉の保証回数と、Ｂ＝前記メディアドライブ４１（５１）のＣＤ書き込み累積時間／ＣＤ書き込みに対する保証時間と、Ｃ＝前記メディアドライブ４１（５１）のＤＶＤ書き込み累積時間／ＤＶＤ書き込みに対する保証時間と、を求めるステップ（Ｓ５，Ｓ７）と、前記Ａ，Ｂ，Ｃのうちの最大値をメディアドライブ４１（５１）の寿命予測値として表示部に表示するステップ（Ｓ６，Ｓ８）と、を実行する。【選択図】図６
2010198684.tif 000002
【特許請求の範囲】
【請求項１】
交換可能なユニットである少なくとも１つのメディアドライブを備える電子機器の前記ユニット毎の寿命予測値の表示方法であって、
前記電子機器に接続されたホストコンピューターは、前記電子機器に記憶された、前記メディアドライブの所定の種別のメディアに対して使用するヘッドに係わる使用累積時間を含むメンテナンスカウンタ情報を取得するステップと、
前記ホストコンピューターは、前記所定の種別のメディアに対して使用するヘッド毎に対して予め設定された保証時間と、取得した前記メンテナンスカウンタ情報と、に基づいて、
前記使用累積時間／前記保証時間を前記ヘッド毎の寿命予測値として求めるステップと、
前記ヘッド毎の寿命予測値のうちの最大値を前記メディアドライブの寿命予測値として表示部に表示するステップと、
を含むことを特徴とする寿命予測値の表示方法。
【請求項２】
前記メンテナンスカウンタ情報は、メディアドライブのメディアトレイ開閉の累積回数を含み、
前記ホストコンピューターは、メディアトレイ開閉に対する予め設定された保証時間と、取得した前記メンテナンスカウンタ情報と、に基づいて、
前記累積回数／前記保証時間を前記メディアトレイ開閉の寿命予測値として求め、
前記ヘッド毎の寿命予測値と前記メディアトレイ開閉の寿命予測値うちの最大値を前記メディアドライブの寿命予測値として表示部に表示することを特徴とする請求項１に記載の寿命予測値の表示方法。
【請求項３】
前記メディアドライブは複数であり、該複数のメディアドライブのそれぞれに対して寿命予測値を求めて、メディアドライブ毎の寿命予測値として表示部に表示することを特徴とする請求項１又は２に記載の寿命予測値の表示方法。
【請求項４】
前記電子機器は、
交換可能なユニットであるレーベルプリンターと、
前記メディアを保管するメディア保管部と、
前記メディアドライブ、前記レーベルプリンター及び前記メディア保管部に前記メディアを搬送可能なメディア搬送機構と、を更に備えるメディア処理装置であって、
前記メンテナンスカウンタ情報は、前記レーベルプリンターの印刷累積枚数を含み、当該印刷累積枚数を前記表示部に表示するステップを更に含むことを特徴とする請求項１〜３のいずれか１項に記載の寿命予測値の表示方法。
【請求項５】
前記電子機器は、
交換可能なユニットであるレーベルプリンターと、
前記メディアを保管するメディア保管部と、
前記メディアドライブ、前記レーベルプリンター及び前記メディア保管部に前記メディアを搬送可能なメディア搬送機構と、を更に備えるメディア処理装置であって、
前記メンテナンスカウンタ情報は、前記レーベルプリンターの印刷累積枚数を含み、当該印刷累積枚数／プリンターの耐久性を保証する上限値の印刷枚数、を前記レーベルプリンターの寿命予測値として表示部に表示するステップを更に含むことを特徴とする請求項１〜３のいずれか１項に記載の寿命予測値の表示方法。
【請求項６】
前記所定の種別のメディアは、ＣＤ、ＤＶＤ及びＢＤのうちのいずれかであることを特徴とする請求項１〜５のいずれか１項に記載の寿命予測値の表示方法。
【請求項７】
前記請求項１〜６のいずれか１項の寿命予測値の表示方法の各ステップを、前記ホストコンピューターに実行させることを特徴とする寿命予測値の表示プログラム。
【発明の詳細な説明】
【技術分野】
【０００１】
電子機器の交換ユニット毎に集約した寿命予測値の表示方法および表示プログラムに関する。
【背景技術】
【０００２】
ＣＤ（Compact Disc）、ＤＶＤ（Digital Versatile Disc）、ＢＤ（Blu-ray Disc）等のメディア（情報記録媒体）にデータの書き込み及び読み出しを行うメディアドライブを複数備える電子機器として、近年、多数枚のブランクＣＤやＤＶＤやＢＤ等のメディアにデータの書き込みとレーベル印刷を行うメディア処理装置が用いられつつある。この種のメディア処理装置としては、円板状のメディアを積層状態で収容するメディアスタッカ（メディア収容部）、メディアへデータを書き込むメディアドライブ及びメディアのレーベル面に印刷を施すレーベルプリンター（メディア処理部）、これらメディア処理部（メディアドライブやレーベルプリンター）に対してメディアを保持して搬送するメディア搬送機構を備えたものが知られている。
【０００３】
一方、プリンターや複写機等においては、印刷ヘッドや紙送りローラ等、経年変化により消耗する部材の使用頻度をモニターして各部材の寿命を判断するためのメンテナンスカウンタが設けられている。
【０００４】
上記のようなメディア処理装置においても、例えば、特許文献１には、不揮発性記憶部に、メディア処理装置に固有のメンテナンスカウンタ情報を記憶する所定のメンテナンスカウンタ記憶領域が設けられ、装置固有の情報である、稼動時間や、装置内の各可動部分の可動回数、ディスクの発行枚数、ドライブの書込み回数などをメンテナンスカウンタ情報として記憶することが記載されている。
【先行技術文献】
【特許文献】
【０００５】
【特許文献１】特開２００８−９７４６０号公報（第１１頁）
【発明の概要】
【発明が解決しようとする課題】
【０００６】
しかしながら、上記メンテナンスカウンタ情報は、電子機器（メディア処理装置）を使用するユーザーに対する表示はなされておらず、また例え、上記稼動時間や装置内の各可動部分の可動回数、ディスクの発行枚数、ドライブの書込み回数等の数値を表示したとしても各ユニット（メディアドライブやレーベルプリンター）の交換時期（寿命）がわかりにくい。
【０００７】
本発明の目的は上記課題を解消することに係り、電子機器を使用するユーザーが、該電子機器を構成する交換ユニット単位の交換時期（寿命）を容易に把握できる、交換ユニット毎に集約した寿命予測値の表示方法および表示プログラムを提供することを目的とする。
【課題を解決するための手段】
【０００８】
上記目的を達成するために、本発明の寿命予測値の表示方法は、交換可能なユニットである少なくとも１つのメディアドライブを備える電子機器の前記ユニット毎の寿命予測値の表示方法であって、
前記電子機器に接続されたホストコンピューターは、前記電子機器に記憶された、前記メディアドライブの所定の種別のメディアに対して使用するヘッドに係わる使用累積時間を含むメンテナンスカウンタ情報を取得するステップと、
前記ホストコンピューターは、前記所定の種別のメディアに対して使用するヘッド毎に対して予め設定された保証時間と、取得した前記メンテナンスカウンタ情報と、に基づいて、
前記使用累積時間／前記保証時間を前記ヘッド毎の寿命予測値として求めるステップと、
前記ヘッド毎の寿命予測値のうちの最大値を前記メディアドライブの寿命予測値として表示部に表示するステップと、
を含むことを特徴とする。
上記寿命予測値の表示方法によれば、電子機器の交換ユニット毎に集約した寿命予測値が表示部に表示されるので、表示部に表示された寿命予測値を参照することにより、電子機器を使用するユーザーが交換ユニット単位の交換時期（寿命）を容易に把握することができる。
また好ましくは、前記メンテナンスカウンタ情報は、メディアドライブのメディアトレイ開閉の累積回数を含み、
前記ホストコンピューターは、メディアトレイ開閉に対する予め設定された保証時間と、取得した前記メンテナンスカウンタ情報と、に基づいて、
前記累積回数／前記保証時間を前記メディアトレイ開閉の寿命予測値として求め、
前記ヘッド毎の寿命予測値と前記メディアトレイ開閉の寿命予測値うちの最大値を前記メディアドライブの寿命予測値として表示部に表示することを特徴とする。
上記寿命予測値の表示方法によれば、メディアドライブの寿命として、メカ部分の損耗も含めて考慮して、交換時期（寿命）を把握することができる。
また好ましくは、前記メディアドライブは複数であり、該複数のメディアドライブのそれぞれに対して寿命予測値を求めて、メディアドライブ毎の寿命予測値として表示部に表示することを特徴とする。
上記寿命予測値の表示方法によれば、複数のメディアドライブの各々に対して、交換ユニット単位の交換時期（寿命）を容易に把握することができる。
また好ましくは、前記電子機器は、
交換可能なユニットであるレーベルプリンターと、
前記メディアを保管するメディア保管部と、
前記メディアドライブ、前記レーベルプリンター及び前記メディア保管部に前記メディアを搬送可能なメディア搬送機構と、を更に備えるメディア処理装置であって、
前記メンテナンスカウンタ情報は、前記レーベルプリンターの印刷累積枚数を含み、当該印刷累積枚数を前記表示部に表示するステップを更に含むことを特徴とする。
上記寿命予測値の表示方法によれば、メディア処理装置において、メディアドライブに対して、交換ユニット単位の交換時期（寿命）を容易に把握できると共に、表示部に表示されたレーベルプリンターの印刷累積枚数と、製品マニュアル等に記載されたプリンターの耐久性を保証する上限値の印刷枚数を参照して、レーベルプリンターの交換時期（寿命）を容易に把握することができる。
また好ましくは、前記電子機器は、
交換可能なユニットであるレーベルプリンターと、
前記メディアを保管するメディア保管部と、
前記メディアドライブ、前記レーベルプリンター及び前記メディア保管部に前記メディアを搬送可能なメディア搬送機構と、を更に備えるメディア処理装置であって、
前記メンテナンスカウンタ情報は、前記レーベルプリンターの印刷累積枚数を含み、当該印刷累積枚数／プリンターの耐久性を保証する上限値の印刷枚数、を前記レーベルプリンターの寿命予測値として表示部に表示するステップを更に含むことを特徴とする。
上記寿命予測値の表示方法によれば、メディア処理装置において、メディアドライブに対して、交換ユニット単位の交換時期（寿命）を容易に把握できると共に、表示部に表示されたレーベルプリンターの寿命予測値より、レーベルプリンターの交換時期（寿命）を容易に把握することができる。
また好ましくは、前記所定の種別のメディアは、ＣＤ、ＤＶＤ及びＢＤのうちのいずれかであることを特徴とする。
上記寿命予測値の表示方法によれば、ＣＤ、ＤＶＤ及びＢＤのいずれかの種別のメディア各々に対して使用するヘッド毎の寿命予測値のうちの最大値、即ち早く寿命が尽きるヘッドの寿命予測値を、メディアドライブの交換時期（寿命）とすることができる。
【０００９】
上記目的を達成するために、本発明の寿命予測値の表示プログラムは、前記寿命予測値の表示方法の各ステップを、前記ホストコンピューターに実行させることを特徴とする。
これにより、電子機器の交換ユニット毎に集約した寿命予測値が表示部に表示されるので、上記表示部に表示された寿命予測値を参照することにより、電子機器を使用するユーザーが交換ユニット単位の交換時期（寿命）を容易に把握することができる。
【図面の簡単な説明】
【００１０】
【図１】各部を閉状態としたメディア処理装置の外観斜視図である。
【図２】各部を開状態としたメディア処理装置の外観斜視図である。
【図３】メディア処理装置のケースを外した状態の前方上側から見た斜視図である。
【図４】メディア処理装置の機能を示す機能ブロック図である。
【図５】メディア処理装置の交換ユニットを示した概略構造を示す模式図である。
【図６】交換ユニット毎の寿命予測値を表示する表示方法の手順を示すフローチャートである。
【図７】メディア処理装置の交換ユニット毎の寿命予測値の表示例を示す図である。
【発明を実施するための形態】
【００１１】
以下、電子機器の一例としてメディア処理装置を挙げ、その交換ユニット毎に集約した本発明に係る寿命予測値の表示方法および表示プログラムの実施形態を、図面を参照しつつ説明する。
【００１２】
まず、本実施形態で使用されるメディア処理装置の全体構成について図１〜図３を参照して説明する。図１は、各部を閉状態としたメディア処理装置の外観斜視図、図２は各部を開状態としたメディア処理装置の外観斜視図である。図３はメディア処理装置のケースを外した状態の前方上側から見た斜視図である。
【００１３】
図１に示すように、メディア処理装置１は、ＣＤやＤＶＤやＢＤ等の円板状のメディアヘのデータの書き込みやメディアのレーベル面への印刷を行う装置であり、ほぼ直方体形状のケース２を備えている。このケース２の前面には、開閉可能な開閉扉３,４が取り付けられている。ケース２の上側右端部には、表示ランプ、操作ボタンなどが配列された操作パネル５が設けられている。また、ケース２の下端には、下方に突出するように載置用の脚部６が左右両側に設けられている。左右の脚部６の間位置には引出機構７が設けられている。
【００１４】
図２及び図３に示すように、メディア処理装置１のケース２の内部には、データ書き込み処理が行われていない複数枚（例えば５０枚）の未使用のメディアＭをスタック可能なメディア保管部としてのメディアスタッカ２１と、複数枚（例えば５０枚）の作成済みメディアＭが保管されるメディア保管部としてのメディアスタッカ２２とが保管されるメディアＭの中心軸線が同一となるように上下に配置されている。メディアスタッカ２１及びメディアスタッカ２２は、それぞれ所定位置に対して着脱自在である。
【００１５】
上側のメディアスタッカ２１は、左右一対の円弧状の枠板２４，２５を備えており、これにより、メディアＭを上側から受け入れ、同軸に積層した状態で収容可能な構成をなしている。メディアスタッカ２１にメディアＭを収容あるいは補充する作業は、開閉扉３を開けてメディアスタッカ２１を取り出すことにより、簡単に行うことが可能となっている。
【００１６】
下側のメディアスタッカ２２も同一構造となっており、左右一対の円弧状の枠板２７，２８を備え、これによって、メディアＭを上側から受け入れ、同軸に積層した状態で収容可能なメディアスタッカが構成されている。
【００１７】
図２及び図３に示すように、メディアスタッカ２１及びメディアスタッカ２２の後側には、メディア搬送機構３１が配置されている。メディア搬送機構３１は、本体フレーム３０とシャーシ３２の天板３３との間に垂直に架け渡されている垂直ガイド軸３５を有している。この垂直ガイド軸３５に搬送アーム３６が昇降及び旋回可能な状態で支持されている。搬送アーム３６は、駆動モータ３７によって垂直ガイド軸３５に沿って昇降可能であるとともに、垂直ガイド軸３５を中心に左右に旋回可能である。
【００１８】
メディアスタッカ２１，メディアスタッカ２２及びメディア搬送機構３１の側方の後方の部位には、上下に積層された第１メディアドライブ４１，第２メディアドライブ５１が配置されている。この２つのメディアドライブ４１，５１は、メディアＭへのデータ書き込み位置とメディアＭの受け取り受け渡しを行うメディア受け渡し位置との間を移動可能なメディアトレイ４１ａ，５１ａをそれぞれ有している。
【００１９】
また、レーベルプリンター１１は、メディアＭのレーベル面へのレーベル印刷可能な印刷位置とメディアＭの受け取り受け渡しを行うメディア受け渡し位置との間を移動可能なメディアトレイ４５を有している。
【００２０】
図では、第１メディアドライブ４１，第２メディアドライブ５１のメディアトレイが手前に引き出されてメディア受け渡し位置にある状態（トレイを開けた状態）及び下側のレーベルプリンター１１のメディアトレイ４５が手前側のメディア受け渡し位置にある状態が示されている。また、レーベルプリンター１１はインクジェットプリンターであり、インク供給機構６０として各色（例えば、ブラック、シアン、マゼンタ、イエロー、ライトシアン、ライトマゼンタの６色）のインクカートリッジ１２が用いられ、これらのインクカートリッジ１２がカートリッジ装着部１４の各カートリッジホルダ１３に前方から装着されている。
【００２１】
ここで、メディアスタッカ２１の左右一対の枠板２４，２５の間及びメディアスタッカ２２の左右一対の枠板２７，２８の間には、メディア搬送機構３１の搬送アーム３６が昇降可能な隙間が形成されている。また、これら上下のメディアスタッカ２１とメディアスタッカ２２との間には、メディア搬送機構３１の搬送アーム３６が水平に旋回して、メディアスタッカ２２の真上に位置できるように隙間が開いている。さらに、メディアトレイ４１ａ，５１ａをそれぞれ第１メディアドライブ４１，第２メディアドライブ５１に押し込む（トレイを閉じる）と、メディア搬送機構３１の搬送アーム３６を下降させて、メディア受け渡し位置にあるメディアトレイ４５にアクセス可能となっている。
【００２２】
メディア搬送機構３１の搬送アーム３６は、両メディアトレイ４１ａ，５１ａをデータ書き込み位置（トレイを閉じた状態）に位置させ、メディアトレイ４５を奥側の印刷位置に位置させた状態で、メディアトレイ４５の高さ位置よりもさらに下側まで下降可能となっている。そして、メディアトレイ４５のメディア受け渡し位置の下方には、搬送アーム３６がこの位置まで下降してリリースしたメディアＭが通過するガイド穴であって、後述するメディアスタッカ（別体メディアスタッカ）が装着されるガイド穴６５が形成されている。
【００２３】
図２に示すように、引出機構７は、本体フレーム３０の下側に、本体フレーム３０から引き出して開いたり収納して閉じたりする開閉可能な引出トレイ７０を有している。引出トレイ７０には、メディアスタッカ部７１が下方に凹んで設けられている。引出トレイ７０が収納位置（閉位置）にあるとき、メディアスタッカ部７１は、ガイド穴６５の下方に位置し、メディアスタッカ部７１の中心部は、受け渡し位置にある両メディアトレイ４１ａ，５１ａとメディアトレイ４５の中心軸線が同一となるように位置されている。このメディアスタッカ部７１は、ガイド穴６５を介して投入されるメディアＭを受け入れ、このメディアＭを比較的少量（例えば５枚〜１０枚程度）だけ収容する。メディアスタッカ部７１は、メディアＭを上側から受け入れ、同軸に積層した状態で収容可能となっている。
【００２４】
収納状態にある引出トレイ７０のメディアスタッカ部７１及びガイド穴６５には、メディアスタッカ部７１よりもメディアＭの収容量が多いメディアスタッカ（別体メディアスタッカ）７２が着脱可能となっている（図２参照）。このメディアスタッカ７２も、一対の円弧状の枠板７３，７４を備えており、これによって、メディアＭを上側から受け入れ、同軸に積層した状態で複数枚（例えば５０枚）収容可能となっている。一対の円弧状の枠板７３，７４の間には、メディア搬送機構３１の搬送アーム３６が昇降可能な隙間が形成されている。また、一方の枠板７４の上部には着脱時にユーザーによって把持される取っ手７５が設けられている。
【００２５】
そして、メディアスタッカ７２を取り付けた状態とすれば、メディアスタッカ２２から未使用のメディアＭを取り出し、メディアドライブ４１，５１およびレーベルプリンター１１でデータ記録および印刷を行った後に、メディアスタッカ７２に収容することができる。
また、例えば、上側のメディアスタッカ２１および下側のメディアスタッカ２２にそれぞれの最大収容枚数（５０枚＋５０枚）の未使用のメディアＭを装填し、下側のメディアスタッカ２２の全枚数（５０枚）のメディアＭを順次処理してメディアスタッカ７２に収容し、次に、上側のメディアスタッカ２１の全枚数（５０枚）のメディアＭを順次処理して、空となった下側のメディアスタッカ２２に収容する。このようにして、上側のメディアスタッカ２１および下側のメディアスタッカ２２の最大収容枚数（５０枚＋５０枚）のメディアＭを一度に処理する（バッチ処理モード）。
【００２６】
また、メディアスタッカ７２を取り外した状態とすれば、上側のメディアスタッカ２１あるいは下側のメディアスタッカ２２から未使用のメディアＭを取り出し、第１のメディアドライブ４１又は第２のメディアドライブ５１及びレーベルプリンター１１でデータ記録及び印刷を行った後に、収納状態にある引出トレイ７０のメディアスタッカ部７１に収容することができる。
【００２７】
これにより、その後、引出トレイ７０を引き出すことでメディアスタッカ部７１から処理が完了したメディアＭを取り出すことができる。つまり、メディアＭへの処理中であっても、開閉扉３を閉じたまま、処理が完了したメディアＭから順に１枚ずつあるいは複数枚ずつ取り出すことができる（外部排出モード）。
【００２８】
ここで、メディア搬送機構３１の搬送アーム３６の昇降及び左右への旋回の組み合わせ動作によって、メディアＭは、メディアスタッカ２１、メディアスタッカ２２、引出トレイ７０のメディアスタッカ部７１（またはメディアスタッカ７２）、各メディアドライブ４１（５１）のメディアトレイ４１ａ（５１ａ）及びレーベルプリンター１１のメディアトレイ４５間で適宜搬送される。
【００２９】
次に、メディア処理装置の内部処理について説明する。
図４はメディア処理装置の機能を示す機能ブロック図である。図５はメディア処理装置の交換ユニットを示した概略構造を示す模式図である。
【００３０】
図４において、メディア処理装置１は、装置各部の制御を司る制御部８０を有し、メディア処理装置１内の第１メディアドライブ駆動部８１、第２メディアドライブ駆動部８２、レーベルプリンター駆動部８３、メディア搬送機構駆動部８４等の制御を行う。第１メディアドライブ駆動部８１は、制御部８０からの指示に従って第１メディアドライブ４１を駆動制御する。第２メディアドライブ駆動部８２は、制御部８０からの指示に従って第２メディアドライブ５１を駆動制御する。レーベルプリンター駆動部８２は、制御部８０からの指示に従ってレーベルプリンター１１を駆動制御する。メディア搬送機構駆動部８４は、制御部８０からの指示に従ってメディア搬送機構３１を駆動制御する。なお、図４では、第１メディアドライブ４１又は第２メディアドライブ５２、レーベルプリンター１１、メディア搬送機構３１がすべて１つの制御部８０で管理されているように記載したが、それぞれに対応する制御部及び通信部を設けた構成としてもよい。
【００３１】
また、メディア処理装置１は、第１メディアドライブ駆動部８１、第２メディアドライブ駆動部８２、レーベルプリンター駆動部８３、メディア搬送機構駆動部８４以外に、メディアに書込むためのデータと該メディアのレーベル面にレーベル印刷する画像データを一時的に記憶するデータ記憶部８５と、メンテナンスカウンタ情報が記憶される不揮発性記憶部８６と、操作パネル５に配置されるテンキーなどの英数字キー群、各種のファンクションキー群及び状態表示ランプなどの表示器群を備えた操作部８７と、ホストコンピューター１００と通信を行うための通信部８８とを備えている。データ記憶部８５としては、例えばＲＡＭ（Random Access Memory）などの揮発性メモリが用いられる。また、不揮発性記憶部８６（不揮発性メモリ）としては、データの書き換えを行うことから、例えばＥＥＰＲＯＭやフラッシュＲＯＭなどの不揮発性メモリが用いられる。通信部８８とホストコンピューター１００は専用通信回線あるいは一般通信回線によって接続される。
【００３２】
図５は、メディア処理装置の構成を簡略化して交換可能なユニット４１，５１，１１を明示した模式図であり、第１メディアドライブ４１、第２メディアドライブ５１は、レーベルプリンター１１は、メディア処理装置１全体の寿命（動作保証時間）が来る前に、ユニット単位で交換が可能である。
【００３３】
制御部８０は、通常は、ホストコンピューター１００から供給されるコマンドに基づき、メディア作成動作（データ書込み処理、レーベル印刷処理）を行う。まず、ホストコンピューター１００から通信部８８へメディアに書込むためのデータとレーベル印刷するための画像データが送られてくると、制御部８０は、それらをデータ記憶部８５に格納する。
【００３４】
次に、制御部８０は、メディア搬送機構駆動部８４と第１メディアドライブ駆動部８１又は第２メディアドライブ駆動部８２を順次駆動制御し、例えば、図３及び図５に示すメディアスタッカ２１又は２２からブランクのメディアＭをピックアップする。そして、メディアトレイ４１ａ又はメディアトレイ５１ａを開けて該メディアＭを載置し、該メディアトレイ（メディアトレイ４１ａ又はメディアトレイ５１ａ）を閉じて（書き込み位置にメディアトレイを移動させて）、第１メディアドライブ４１又は第２メディアドライブ５１によってメディアＭに対してデータ記憶部８５に格納された前記データの書込み処理を行う。このとき、制御部８０は、メディアトレイ４１ａ又はメディアトレイ５１ａの開閉回数をカウントし、書込み処理の時間を、メディアの種別を判別してメディアの種別毎にカウントする。
上記メディアの種別とは、ＣＤ、ＤＶＤ、ＢＤ等、使用するヘッドが異なるメディアである。
【００３５】
データの書込み処理が終了した後、制御部８０は、第１メディアドライブ駆動部８１又は第２メディアドライブ駆動部８２とメディア搬送機構駆動部８４とを順次駆動制御して、該メディアトレイ（メディアトレイ４１ａ又はメディアトレイ５１ａ）を開けてメディアＭをピックアップして、該メディアトレイ（メディアトレイ４１ａ又はメディアトレイ５１ａ）を閉じ、手前側のメディア受け渡し位置にあるメディアトレイ４５までメディアＭを搬送して載置し、メディアトレイ４５を奥側の印刷位置に移動させる。このとき、制御部８０は、メディアトレイ４１ａ又はメディアトレイ５１ａの開閉回数をカウントする。
【００３６】
次に、制御部８０は、レーベルプリンター駆動部８３を駆動制御して、レーベルプリンター１１によって当該メディアＭのレーベル面へ、データ記憶部８５に格納された前記画像データの印刷処理を行う。このとき、制御部８０は、印刷枚数をカウントする。
【００３７】
上記印刷処理が終了した後、制御部８０は、メディア搬送機構駆動部８４を駆動制御して、印刷処理が終了したメディアＭをメディア搬送機構３１によって、所定のメディアスタッカ（２２又は７１（７２））に搬送させる。
【００３８】
不揮発性記憶部８６にはメディア処理装置１のメンテナンスカウンタ情報を記憶する領域が設けられている。この記憶領域には、製品シリアル番号と、各メディアドライブ４１，５１のメディアトレイ開閉の累積回数とメディアの種別毎のデータ書き込みの累積時間と、レーベルプリンター１１の印刷累積枚数と、が少なくとも記憶される。
【００３９】
制御部８０は、メディア処理装置１の各駆動部（第１メディアドライブ駆動部８１、第２メディアドライブ駆動部８２、レーベルプリンター駆動部８３、メディア搬送機構駆動部８４）の駆動制御を行ったときに、前述のようにカウントした各メディアトレイの開閉回数、メディアの種別毎の書き込み処理時間、印刷枚数等を加算して、上記メンテナンスカウンタ情報を更新する機能を有している。
【００４０】
例えば、制御部８０は、第１メディアドライブ４１及び第２メディアドライブ５１のそれぞれのメディアトレイ（４１ａ，５１ａ）の開閉の累積回数と、第１メディアドライブ４１及び第２メディアドライブ５１に対し、メディアの種別を区別して、各種別のメディアそれぞれに対するデータ書き込みの累積時間と、レーベルプリンター１１の印刷累積枚数と、を不揮発性記憶部８６の各記憶領域（所定のアドレス）に、下記（１）〜（７）のように書き込む。
以下、メディアの種別の例として、ＣＤとＤＶＤを挙げて説明を続ける。
なお、ここでは、ＣＤ−Ｒ、ＣＤ−ＲＷ、ＣＤ−ＲＯＭ、及びオーディオＣＤ等を含むメディアの種別として「ＣＤ」と記述する。また、ＤＶＤ−ＲＯＭ、ＤＶＤ−Ｒ，ＤＶＤ−ＲＡＭ等を含むメディアの種別として「ＤＶＤ」と記述する。
【００４１】
（１）第１メディアドライブ４１のメディアトレイ４１ａの開閉の累積回数を不揮発性記憶部８６の第１記憶領域へ書き込む。
（２）第２メディアドライブ５１のメディアトレイ５１ａの開閉の累積回数を不揮発性記憶部８６の第２記憶領域へ書き込む。
（３）第１メディアドライブ４１のＣＤ書き込み累積時間（単位：秒）を不揮発性記憶部８６の第３記憶領域へ書き込む。
（４）第２メディアドライブ５１のＣＤ書き込み累積時間（単位：秒）を不揮発性記憶部８６の第４記憶領域へ書き込む。
（５）第１メディアドライブ４１のＤＶＤ書き込み累積時間（単位：秒）を不揮発性記憶部８６の第５記憶領域へ書き込む。
（６）第２メディアドライブ５１のＤＶＤ書き込み累積時間（単位：秒）を不揮発性記憶部８６の第６記憶領域へ書き込む。
（７）レーベルプリンター１１の印刷累積枚数を不揮発性記憶部８６の第７記憶領域へ書き込む。
なお、製品シリアル番号は予め（工場出荷時などに）不揮発性記憶部８６の第８記憶領域へ書き込まれている。
【００４２】
各交換ユニットの寿命は、交換ユニットを構成する各部品単位の寿命に左右される。よって、ある部品の寿命が尽きた場合は、メンテナンス時に、交換ユニット単位で交換する必要がある。一般に、メディアドライブの全体の寿命は、１つはその構成部品であるデータ書き込みヘッド部（光ピックアップやレーザー光源などを備える）の寿命に制限される。ＣＤとＤＶＤではデータ書き込みにそれぞれ異なる波長のレーザー光を使用するので、メディアドライブは、複数のヘッド部を搭載している。このため、ＣＤに対する書き込み累積時間とＤＶＤに対する書き込み累積時間を分けて、それぞれのヘッド部の使用時間を考慮し、いずれか一方のヘッド部の寿命が尽きた場合、メディアドライブを交換する必要がある。また、メディアドライブの寿命として、メカ部分の損耗も含めて考慮する必要があり、メディアトレイの開閉動作の保証回数（耐久性を保証する上限値）を超えた場合も、メディアドライブを交換する必要がある。
【００４３】
従って、メディアトレイ開閉の保証回数（耐久性を保証する上限値）、ＣＤ書き込みに対する保証時間（耐久性を保証する上限値）、ＤＶＤ書き込みに対する保証時間（耐久性を保証する上限値）のうちの１つでも超えた場合は、交換ユニットである当該メディアドライブを交換する必要がある。
なお、上記の各保証時間及び保証回数は、メディア処理装置１に対応した値が予め設定されており、寿命予測値の表示プログラムが参照可能なように、ホストコンピューター１００の記憶部等に保持されている。
【００４４】
次に、メディア処理装置のユニット毎の寿命予測値を表示する表示方法の手順を説明する。図６は交換ユニット毎の寿命予測値を表示する表示方法の手順を示すフローチャートである。
【００４５】
メディア処理装置１に接続されたホストコンピューター１００において、寿命予測値の表示プログラムを起動すると、メディア処理装置１にメンテナンスカウンタ情報の要求コマンドが送信される（ステップＳ１）。
メディア処理装置１は、上記メンテナンスカウンタ情報の要求コマンドを受信する（ステップＳ２）と、制御部８０は、不揮発性記憶部８６の各記憶領域（例えば、上記第１記憶領域〜第８記憶領域）のメンテナンスカウンタ情報をホストコンピューター１００へ送信する（ステップＳ３）。
【００４６】
ホストコンピューター１００は、メンテナンスカウンタ情報を受信し（ステップＳ４）、予め設定された、メディアトレイ開閉の保証回数と、ＣＤ書き込みに対する保証時間と、ＤＶＤ書き込みに対する保証時間と、取得した前記メンテナンスカウンタ情報と、に基づいて、第１メディアドライブ４１に対し、下記Ａ１，Ｂ１，Ｃ１を求める（ステップＳ５）。
Ａ１＝第１メディアドライブ４１のメディアトレイ４１ａの開閉の累積回数（第１記憶領域の情報）／メディアトレイ開閉の保証回数（耐久性を保証する上限値）
Ｂ１＝第１メディアドライブ４１のＣＤ書き込み累積時間（第３記憶領域の情報）／ＣＤ書き込みに対する保証時間（耐久性を保証する上限値）
Ｃ１＝第１メディアドライブ４１のＤＶＤ書き込み累積時間（第５記憶領域の情報）／ＤＶＤ書き込みに対する保証時間（耐久性を保証する上限値）
続いて、上記Ａ１，Ｂ１，Ｃ１の値を比較して、最大値を％表示によって、表示部１０１に表示する（ステップＳ６）。例えば、Ａ１＝０．１、Ｂ１＝０．２、Ｃ１＝０．１５である場合は、Ｂ１が最大値であるので、これを％表示として、寿命予測値は２０％と表示する。
【００４７】
同様に、第２メディアドライブ５１に対し、下記Ａ２，Ｂ２，Ｃ２を求める（ステップＳ７）。
Ａ２＝第２メディアドライブ５１のメディアトレイ５１ａの開閉の累積回数（第２記憶領域の情報）／メディアトレイ開閉の保証回数（耐久性を保証する上限値）
Ｂ２＝第２メディアドライブ５１のＣＤ書き込み累積時間（第４記憶領域の情報）／ＣＤ書き込みに対する保証時間（耐久性を保証する上限値）
Ｃ２＝第２メディアドライブ５１のＤＶＤ書き込み累積時間（第６記憶領域の情報）／ＤＶＤ書き込みに対する保証時間（耐久性を保証する上限値）
続いて、上記Ａ２，Ｂ２，Ｃ２の値を比較して、最大値を％表示によって、表示部１０１に表示する（ステップＳ８）。例えば、Ａ２＝０．１、Ｂ２＝０．１、Ｃ２＝０．１５である場合は、Ｃ２が最大値であるので、これを％表示として、第２メディアドライブ５１の寿命予測値は１５％と表示する。
【００４８】
以上のように、寿命予測値を％表示とすることにより、この表示を見たユーザーが、当該ユニットの交換まで、どのくらい余裕があるかが把握しやすい。
なお、１００％以上の値となった場合は、表示は１００％のままとしてもよい。
また、取得したレーベルプリンター１１の印刷累積枚数（第７記憶領域の情報）を表示部１０１に表示する（ステップＳ９）。
また、取得したメディア処理装置１の製品シリアル番号（第８記憶領域の情報）を表示部１０１に表示する（ステップＳ１０）。上記のように製品シリアル番号を表示することにより、複数台のメディア処理装置１に対して、１台のホストコンピューター１００を接続し直して使用する場合において、どのメディア処理装置１を接続したかを確認することができる。
【００４９】
図７は、メディア処理装置の交換ユニット毎の寿命予測値の表示例を示す図である。図７において、表示部１０１に、上記メディア処理装置１の製品シリアル番号、レーベルプリンター１１の印刷累積枚数、第１メディアドライブ４１の寿命予測値、第２メディアドライブ５１の寿命予測値、が表示されている。
なお、レーベルプリンター１１の寿命としては、一般のプリンターでは、印刷枚数として表される場合が多いので、ここでは、印刷累積枚数をそのまま表示しているが、印刷累積枚数／プリンターの耐久性を保証する上限値の印刷枚数、を％表示に直して表示してもよい。
【００５０】
さらに、図７のように表示されたメンテナンスカウンタ情報による各数値は、保存ボタンを押すことにより、ホストコンピューター内にファイルとして保存することができる。また、更新ボタンを押すことにより、メンテナンスカウンタ情報を再取得することができる。なお、終了ボタンを押すと表示を終了する。
【００５１】
なお、上記実施形態では、メディア処理装置１（電子機器）が備えるメディアドライブは、第１メディアドライブ４１、第２メディアドライブ５１の２台としたが、１台のみでもよく、或いは、３台以上でもよい。
【００５２】
以上詳述したように、本発明の実施形態に係る寿命予測値の表示方法によれば、メディア処理装置１（電子機器）に接続されたホストコンピューター１００の寿命予測値の表示プログラムを起動することにより、第１メディアドライブ４１の寿命予測値、第２メディアドライブ５１の寿命予測値、レーベルプリンター１１の印刷累積枚数など、メディア処理装置１の交換ユニット毎に集約した寿命予測値が表示部１０１に表示されるので、表示部１０１に表示された上記の各寿命予測値を参照することにより、メディア処理装置１（電子機器）を使用するユーザーが交換ユニット単位の交換時期（寿命）を容易に把握することができる。
【符号の説明】
【００５３】
１…メディア処理装置（電子機器）、１１…レーベルプリンター、２１,２２…メディアスタッカ、３１…メディア搬送機構３１、４１…第１メディアドライブ、４１ａ…メディアトレイ、４５…メディアトレイ、５１…第２メディアドライブ、５１ａ…メディアトレイ、７１…メディアスタッカ部、７２…メディアスタッカ、８０…制御部、８１…第１メディアドライブ駆動部、８２…第２メディアドライブ駆動部、８３…レーベルプリンター駆動部、８４…メディア搬送機構駆動部、８５…データ記憶部、８６…不揮発性記憶部、８７…操作部、８８…通信部、１００…ホストコンピューター、１０１…表示部
【図１】
2010198684.tif 000003
【図２】
2010198684.tif 000004
【図３】
2010198684.tif 000005
【図４】
2010198684.tif 000006
【図５】
2010198684.tif 000007
【図６】
2010198684.tif 000008
【図７】
2010198684.tif 000009